【手続補正書】
【提出日】平成15年7月18日(2003.7.18)
【手続補正１】
【補正対象書類名】明細書
【補正対象項目名】発明の名称
【補正方法】変更
【補正の内容】
【発明の名称】プレゼンテーションシステム
【手続補正２】
【補正対象書類名】明細書
【補正対象項目名】特許請求の範囲
【補正方法】変更
【補正の内容】
【特許請求の範囲】
【請求項１】
撮像手段を有する画像入力装置と、
前記撮像手段から出力された撮像信号を画像処理する画像処理手段と、
前記画像処理手段の画像処理結果を記憶する記憶手段と、
前記画像処理結果を表示する表示手段とを備え、
前記撮像手段が撮像する被写体に応じて、画像の撮り込みレートと解像度の関係を変更可能な駆動切り換え手段を有すること、
を特徴とするプレゼンテーションシステム。
【請求項２】
撮像手段を有する画像入力装置と、
前記撮像手段から出力された撮像信号を画像処理する画像処理手段と、
前記画像処理手段の画像処理結果を記憶する記憶手段と、
前記画像処理結果を表示する表示手段とを備え、
前記画像処理手段は、前記撮像信号に基づいて、撮像されている被写体を前記撮像手段の撮像領域の略中央に配置位置を調整すること、
を特徴とするプレゼンテーションシステム。
【手続補正３】
【補正対象書類名】明細書
【補正対象項目名】０００１
【補正方法】変更
【補正の内容】
【０００１】
【発明の属する技術分野】
本発明は、プレゼンテーションシステムに関するものである。
【手続補正４】
【補正対象書類名】明細書
【補正対象項目名】０００５
【補正方法】変更
【補正の内容】
【０００５】
原稿台にセットされた原稿をカメラで撮り込むときに、カメラの位置調整や画像処理を施す手段と、映像信号を通信により転送・復元する装置において、複数画像を合成するための制御手段とを備えているものがある（例えば、特許文献１参照）。しかし、画像を撮り込む為の書画カメラ機能しか持っておらず、単なる撮り込み装置としてしか使えない。また、画像を４分割して撮り込み、離れた場所にあるホストＰＣに画像データを通信で転送した後に１枚の画像に合成するため、処理時間とコストが掛かる。
更に、通信転送の際のノイズによる画質の劣化が大きくなるため、高精細な画像は転送できない。


【手続補正５】
【補正対象書類名】明細書
【補正対象項目名】０００６
【補正方法】変更
【補正の内容】
【０００６】
液晶プロジェクタの一部に撮影用カメラと、支持アームと、照明とを設け、書類やサンプル等の被写体データをプロジェクタから拡大投射するものがある（例えば、特許文献２参照）。しかし、本装置にＰＪを加えてセットにした具体例で、書画カメラとして撮り込んだ画像を直接表示するだけで、スクリーンの画像を撮り込み座標検出する為の機能を備えていない。


【手続補正６】
【補正対象書類名】明細書
【補正対象項目名】０００７
【補正方法】変更
【補正の内容】
【０００７】
また書画カメラとして、原稿台を撮像するモードと遠方の人物を撮像するモードとを切換えるものがある（例えば、特許文献３参照）。しかし、取りこむ画像のフレームレートについては考慮されていない。


【手続補正７】
【補正対象書類名】明細書
【補正対象項目名】０００８
【補正方法】変更
【補正の内容】
【０００８】
【特許文献１】特開平７−２９８２２５号公報
【特許文献２】特開平９−２９４２３６号公報
【特許文献３】特開平８−８４２８４号公報
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明の目的は、プレゼンテーション中に急に必要になったデータ（情報）を直ちに電子化して、操作性や使い勝手に優れ、スムーズでかつ効果的なプレゼンテーションを実行することができるプレゼンテーションシステムを提供することである。


【手続補正１０】
【補正対象書類名】明細書
【補正対象項目名】００１１
【補正方法】変更
【補正の内容】
【００１１】
【課題を解決するための手段】
撮像手段を有する画像入力装置と、
前記撮像手段から出力された撮像信号を画像処理する画像処理手段と、
前記画像処理手段の画像処理結果を記憶する記憶手段と、
前記画像処理結果を表示する表示手段とを備え、
撮像する被写体に応じて、画像の撮り込みレートと解像度の関係を変更可能に形成された駆動切り換え手段を有することを特徴とする。


【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】変更
【補正の内容】
【００３２】
これにより、撮り込みたい被写体の内容や使用目的に応じて、解像度を犠牲にして高速で撮り込みたい場合には高速撮り込みのモードで、又高速性を犠牲にして解像度を優先したい場合には高解像度モードにそれぞれ変更して撮像することで、ベストな撮像条件を任意に選択・切り換えられるため、使用者の使用意図に合致して無駄のないシステムを提供できる。


【手続補正３２】
【補正対象書類名】明細書
【補正対象項目名】００３３
【補正方法】変更
【補正の内容】
【００３３】
撮像手段を有する画像入力装置と、
撮像手段から出力された撮像信号を画像処理する画像処理手段と、
画像処理手段の画像処理結果を記憶する記憶手段と、
画像処理結果を表示する表示手段とを備え、
前記画像処理手段は、前記撮像信号に基づいて、撮像されている被写体を前記撮の撮像領域の略中央に配置位置を調整すること、
を特徴とする。
【手続補正３３】
【補正対象書類名】明細書
【補正対象項目名】００３４
【補正方法】変更
【補正の内容】
【００３４】
このため、通常は使用前に行う撮像位置調整が不要となるだけでなく、使用中に何らかの原因で撮像手段と表示手段の位置関係が変わった場合でも、自動的に撮像領域の略中央に撮像手段を調整してくれるため再設定が不要となるため、使用者自身が行う煩わしい調整も、その個人差も無くなり、使い勝手が向上する。


【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】